(57)【要約】【課題】配線抵抗に起因する電圧降下を抑制し、輝度ばらつきの均一化を図るとともに、非表示領域において、汎用の信号入力用ドライバーでの実装が容易に行えるようにし、且つ、工程数の増加を抑制したディスプレイを提供する。【解決手段】複数の給電元電極７の各々は、基端７１ｓが非表示領域ＮＤであって、複数の第１給電電極３が引き出されていない残部領域７Ａにあり、先端７２ｅが表示領域Ｄにおいて、複数の第２給電電極６の各々と１対１の関係で接続され、基端７１ｓと先端７２ｅとの間は、第２方向に延伸する電極部分７１と前記第１方向に延伸する電極部分７２とを有する蛇行状をなしており、複数の給電元電極７は、基端７１ｓから先端７２ｅ側に近づく程、隣接する給電元電極同士の間隔が広がる形態を取っている。【選択図】図２
2015207409.tif 000002
【特許請求の範囲】
【請求項１】
基板の上方に、第１方向に延伸する複数の第１電極と、前記複数の第１電極の上方において、前記第１方向と交差し、第２方向に延伸する複数の第２電極とが設けられ、前記交差部分のそれぞれに発光層が存在し、全体を平面視する場合において、最外側の複数の前記発光層を外縁とする表示領域と、前記表示領域と前記第２電極の延伸方向の一方端側において隣り合う非表示領域とが存在し、
前記複数の第１電極に給電する複数の第１給電電極と、前記複数の第２電極に給電する複数の第２給電電極とを含む給電電極層が、前記基板と前記複数の第１電極との間に設けられ、
前記複数の第１給電電極及び前記複数の第２給電電極のいずれも第２方向に延伸し、前記複数の第１給電電極の各々は、前記複数の第１電極の各々と１対１の関係で接続され、基端が前記非表示領域の一部領域まで引き出され、前記複数の第２給電電極の各々は、前記複数の第２電極の各々と１対１の関係で接続されているディスプレイであって、
前記複数の第２給電電極の各々と前記複数の第２電極の各々との接続箇所は、複数あり、且つ、前記複数の第１電極の少なくとも１つを挟んだ位置関係にあって、
前記給電電極層は、複数の給電元電極をさらに含み、前記複数の給電元電極の各々は、基端が前記非表示領域であって、前記複数の第１給電電極が引き出されていない残部領域にあり、先端が表示領域において、前記複数の第２給電電極の各々と１対１の関係で接続され、基端と先端との間は、前記第２方向に延伸する電極部分と前記第１方向に延伸する電極部分とを有する蛇行状をなしており、前記複数の給電元電極は、基端から先端側に近づく程、隣接する給電元電極同士の間隔が広がる形態を取っている
ことを特徴とするディスプレイ。
【請求項２】
前記複数の第２給電電極の少なくとも１つは、前記表示領域において１または複数の箇所で部分的に分断されており、前記分断されている箇所をブリッジ状に導電性材料で電気的に接続するブリッジ部が設けられ、
前記給電元電極の前記先端以外の前記第１方向に延伸する電極部分は、前記ブリッジ部の下方を横切ることにより、前記第２給電電極と接触しないように、前記第２給電電極を横切ることを特徴とする請求項１に記載のディスプレイ。
【請求項３】
前記ブリッジ部と前記複数の第１電極とは、同層で形成されていることを特徴とする請求項２に記載のディスプレイ。
【請求項４】
前記ブリッジ部と前記複数の第１電極とは、同じ組成からなる材料を含む導電性材料で構成されていることを特徴とする請求項３に記載のディスプレイ。
【請求項５】
前記非表示領域は、前記一部領域と、前記一部領域と前記第１方向に隣接する残部領域に分けられ、
前記複数の第１給電電極のうち、前記一部領域の前記残部領域と反対側の最も端部側に引き出されている第１給電電極が、前記非表示領域から最も遠い第１電極と電気的に接続され、当該第１給電電極から内側の複数の第１給電電極の各々に移る程、前記非表示領域により近い複数の第１電極の各々と電気的に接続されていることを特徴とする請求項１から４のいずれかに記載のディスプレイ。
【請求項６】
前記複数の第２電極は、透光性電極であることを特徴とする請求項１から５のいずれかに記載のディスプレイ。
【請求項７】
平面視において、前記複数の第２給電電極の各々は、前記複数の第２電極の各々の少なくとも一部と重畳するように形成されていることを特徴とする請求項１から６のいずれかに記載のディスプレイ。
【請求項８】
前記ブリッジ部は、前記ブリッジ部の上方の第２電極と電気的に接続されていることを特徴とする請求項１から７のいずれかに記載のディスプレイ。
【請求項９】
前記基板は可撓性基板であることを特徴とする請求項１から８のいずれかに記載のディスプレイ。
【請求項１０】
さらに、前記複数の第２電極の上方に設けられた第２基板を備えることを特徴とする請求項１から９のいずれかに記載のディスプレイ。
【請求項１１】
前記発光層は有機ＥＬ層であることを特徴とする請求項１から１０のいずれかに記載のディスプレイ。
【請求項１２】
前記複数の第１給電電極と、前記複数の第２給電電極と、前記複数の給電元電極は同じ組成からなる材料を含む導電性材料で構成されていることを特徴とする請求項１から１１のいずれかに記載のディスプレイ。
【請求項１３】
前記非表示領域の前記一部領域と前記残部領域とは、それぞれ異なるドライバーが実装されることを特徴とする請求項１に記載のディスプレイ。
【請求項１４】
前記複数の第２給電電極のうち、前記複数の給電元電極と電気的に接続されていない１または複数の第２給電電極は、前記非表示領域まで引き出されていて、前記残部領域と同じドライバーが実装されることを特徴とする請求項１３に記載のディスプレイ。
【請求項１５】
請求項１から１４のいずれかに記載のディスプレイは、パッシブマトリクス駆動型であることを特徴とするディスプレイ。
【請求項１６】
請求項１から１５のいずれかに記載のディスプレイを複数枚繋ぎ合せて１枚のディスプレイとしたタイリングディスプレイ。
【請求項１７】
前記基板は矩形状であり、前記非表示領域が配置されていない辺同士を複数枚繋ぎ合せて１枚のディスプレイとした請求項１に記載のタイリングディスプレイ。
【請求項１８】
基板と、
前記基板の上方において、第１方向に延伸する複数のゲート電極と、
前記第１方向と交差する第２方向に延伸する複数のソース電極と、
前記複数のゲート電極の各々と、前記ソース電極の各々とに接続されたＴＦＴ素子と、を備え、
前記複数のゲート電極の各々と、前記複数のソース電極の各々との一方は、１または複数の箇所で部分的に分断されており、前記分断されている箇所をブリッジ状に導電性材料で電気的に接続するブリッジ部が設けられ、
前記複数のゲート電極の各々と、前記複数のソース電極の各々との他方が、少なくとも１箇所で前記ブリッジ部の下方を横切ることを特徴とするアクティブマトリクス駆動型ディスプレイ用のＴＦＴ基板。
【発明の詳細な説明】
【技術分野】
【０００１】
本発明は、ディスプレイ及びそれを用いたタイリングディスプレイに関する。
【背景技術】
【０００２】
近年、大型のデジタルサイネージ用として、ディスプレイを複数枚繋ぎ合せたタイリングディスプレイが開発され、その普及が図られている。
従来技術におけるタイリングディスプレイ用のディスプレイの一例として、図１１を用いて有機ＥＬディスプレイ８００を説明する。図１１（ａ）は、平面図であり、図１１（ｂ）は、Ａ−Ａ断面図である。有機ＥＬディスプレイ８００は、第１基板８０１上にＸ軸方向に延伸する複数の第１電極８０２と、複数の第１電極８０２と交差するようにＹ軸方向に延伸する複数の第２電極８０４とを有する。複数の第１電極８０２の各々と複数の第２電極８０４の各々との間には、各交差部分に有機ＥＬ層８０５が設けられ、残余の部分に絶縁層８０３が設けられている。また、複数の第２電極８０４の上には保護層８０６が設けられている。複数の第１電極８０２のＸ軸方向の端部８０２ａと複数の第２電極８０４のＹ軸方向の端部８０４ａは、信号入力用のドライバーが実装される実装端子部を構成している。
【０００３】
ここで、図１１に示す有機ＥＬディスプレイ８００を用いてタイリングディスプレイを構成する場合を想定する。実装端子部８０２ａ及び８０４ａが存在する領域は、表示領域外の非表示領域となる。そのため、有機ＥＬディスプレイ８００を複数枚繋ぎ合せた場合に、画像が表示されない非表示領域の面積が増えて、１枚もののディスプレイとして視認されにくいという問題がある。
【０００４】
そこで、特許文献１では、非表示領域の面積を小さくする方法として一方向配線という方法を用いた有機ＥＬディスプレイ９００が開示されている。
具体的には図１２（ａ）に示すように、Ｘ軸方向に延伸する複数の第１電極９０２と、Ｙ軸方向に延伸する複数の第２電極９０４との各交差部分に有機ＥＬ層９０５が設けられている。複数の第２電極９０４の下方であり、３つの第１電極９０２同士の間には、複数の第１電極９０２と並行し、複数の第２電極９０４に給電する複数の第２給電電極９０３が設けられている。図１２（ｂ）は、図１２（ａ）における一点鎖線で囲まれた領域Ｒ３を、矢印Ｅ３の方向から見たときの斜視図である。複数の第２電極９０４の各々と複数の第２給電電極９０３の各々が交差する部分には、これらを電気的に接続させるコンタクトホール９０６が形成されている。これにより、特許文献１の有機ＥＬディスプレイ９００では、実装端子部をＸ軸方向の端部の１辺側にのみ設ける一方向配線を実現している。有機ＥＬディスプレイ９００の非表示領域は、Ｘ軸方向の端部９０２ａが存する１辺側のみとなり、他の３辺には非表示領域が存在しない。有機ＥＬディスプレイ９００の非表示領域が存在しない辺同士を複数枚繋ぎ合せることで、１枚もののディスプレイとして視認されるタイリングディスプレイが実現できる。
【先行技術文献】
【特許文献】
【０００５】
【特許文献１】特開２０１２−３２４７１号公報
【発明の概要】
【発明が解決しようとする課題】
【０００６】
しかし、特許文献１の有機ＥＬディスプレイ９００の構成では、複数の第２電極９０４の各々と複数の第２給電電極９０３の各々との電気的に接続については、それぞれが交差する１箇所でしか行えない。そのため、複数の第２電極９０４の各々では、複数の第２給電電極９０３の各々との接続箇所９０６から離れるに従って配線抵抗が高くなる。その結果、電圧降下が生じて輝度ばらつきの原因となる。
【０００７】
また、有機ＥＬディスプレイ９００の構成では、例えば、複数の第１電極９０２の端部にデータ信号入力用のドライバーが、複数の第２給電電極９０３の端部に走査信号入力用のドライバーが実装されることになる。しかしながら、複数の第１電極９０２と、複数の第２給電電極９０３とは、非表示領域に混合して引き出されており、低コストの汎用の信号入力用ドライバーで実装することが困難となる。そのため、絶縁層を介して電極配線を束ねるように引き回す必要が生ずる。但し、この際、工程数の増加は、最小限に留めたい。
【０００８】
そこで本発明は、配線抵抗に起因する電圧降下を抑制し、輝度ばらつきの均一化を図るとともに、非表示領域において、汎用の信号入力用ドライバーでの実装が容易に行えるようにし、且つ、工程数の増加を抑制したディスプレイを提供することを目的とする。
【課題を解決するための手段】
【０００９】
上記課題を解決するため、本発明の一態様に係るディスプレイは、基板の上方に、第１方向に延伸する複数の第１電極と、前記複数の第１電極の上方において、前記第１方向と交差し、第２方向に延伸する複数の第２電極とが設けられ、前記交差部分のそれぞれに発光層が存在し、全体を平面視する場合において、最外側の複数の前記発光層を外縁とする表示領域と、前記表示領域と前記第２電極の延伸方向の一方端側において隣り合う非表示領域とが存在し、前記複数の第１電極に給電する複数の第１給電電極と、前記複数の第２電極に給電する複数の第２給電電極とを含む給電電極層が、前記基板と前記複数の第１電極との間に設けられ、前記複数の第１給電電極及び前記複数の第２給電電極のいずれも第２方向に延伸し、前記複数の第１給電電極の各々は、前記複数の第１電極の各々と１対１の関係で接続され、基端が前記非表示領域の一部領域まで引き出され、前記複数の第２給電電極の各々は、前記複数の第２電極の各々と１対１の関係で接続されているディスプレイであって、前記複数の第２給電電極の各々と前記複数の第２電極の各々との接続箇所は、複数あり、且つ、前記複数の第１電極の少なくとも１つを挟んだ位置関係にあって、前記給電電極層は、複数の給電元電極をさらに含み、前記複数の給電元電極の各々は、基端が前記非表示領域であって、前記複数の第１給電電極が引き出されていない残部領域にあり、先端が表示領域において、前記複数の第２給電電極の各々と１対１の関係で接続され、基端と先端との間は、前記第２方向に延伸する電極部分と前記第１方向に延伸する電極部分とを有する蛇行状をなしており、前記複数の給電元電極は、基端から先端側に近づく程、隣接する給電元電極同士の間隔が広がる形態を取っている。
【発明の効果】
【００１０】
本発明の一態様に係るディスプレイは、複数の第２電極の各々と複数の第２給電電極の各々とが並行している。そして、複数の第２給電電極の各々と複数の第２電極の各々とは複数の第１電極の少なくとも１つを挟んだ位置関係にある複数の接続箇所で電気的に接続されている。
上記構成により、接続箇所が１箇所だけしかない特許文献１の技術と比べて接続箇所を増やした分だけ、複数の第２電極の各々における接続箇所から最も遠い箇所までの距離を短くすることができる。よって、複数の第２電極の各々での配線抵抗を下げることができて、電圧降下や輝度ばらつきを低減することが可能となる。
【００１１】
また、本発明の一態様に係るディスプレイは、複数の給電元電極が設けられ、複数の給電元電極の各々の先端は、複数の第２給電電極の各々と電気的に接続され、基端と先端の間は、蛇行状をなしている。複数の給電元電極のうち、第１方向に延伸する電極部分の少なくとも１つは、ブリッジ部の下方を横切りながら延伸している。そして、複数の給電元電極は、先端側程、給電元電極同士の間隔が広がっている。逆に、先端から基端側にかけては、表示領域で複数の給電元電極の各々同士が段階的に近づくように設けられている。そのため、非表示領域においては、複数の第１給電電極が引き出されていない残部領域にまとめられている。よって、汎用の信号入力用ドライバーでの実装を容易に行うことができる。
【００１２】
さらに、前記複数の各給電電極は給電電極層という同層に形成されているので、追加する絶縁層の工程数を少なくすることが可能となる。
従って、本発明の一態様に係るディスプレイは、配線抵抗に起因する電圧降下を抑制し、輝度ばらつきの均一化を図るとともに、非表示領域において、汎用の信号入力用ドライバーでの実装が容易に行えるようにし、且つ、工程数の増加を抑制したディスプレイを提供することができる。
【図面の簡単な説明】
【００１３】
【図１】実施の形態１に係るタイリングディスプレイ１０００の平面模式図である。
【図２】実施の形態１に係るタイリングディスプレイのうちの１枚を構成するディスプレイ１００Ａの平面模式図である。
【図３】実施の形態１に係るディスプレイ１００Ａの表示領域の領域Ｒ１における斜視図である。
【図４】実施の形態１に係るディスプレイ１００Ａの表示領域から非表示領域にかけての領域Ｒ２における斜視図である。
【図５】（ａ）は、実施の形態１に係るディスプレイ１００ＡのＹ−Ｙ断面図である。（ｂ）は、実施の形態１に係るディスプレイ１００ＡのＸ−Ｘ断面図である。
【図６】参考例に係るディスプレイ２００Ａの平面模式図である。
【図７】実施の形態２に係るタイリングディスプレイのうちの１枚を構成するディスプレイ３００Ａの平面模式図である。
【図８】実施の形態２に係るタイリングディスプレイ３０００の平面模式図である。
【図９】（ａ）は、変形例１に係るタイリングディスプレイ４０００の斜視図であり、（ｂ）は、変形例２に係るタイリングディスプレイ５０００の斜視図であり、（ｃ）は、変形例３に係るタイリングディスプレイ６０００の斜視図である。
【図１０】（ａ）は、変形例４に係るアクティブマトリクス駆動型有機ＥＬ基板７００のうちの１絵素（１画素を構成するＲ、Ｇ、Ｂの発光セルのいずれかを有する部分）における平面模式図である。（ｂ）は、当該１絵素の回路図である。（ｃ）は、図１０（ａ）のＸＸ−ＸＸ断面図である。
【図１１】（ａ）は、従来技術に係るディスプレイ８００の平面模式図である。（ｂ）は、従来技術に係るディスプレイ８００のＡ−Ａ断面図である。
【図１２】（ａ）は、従来技術に係るディスプレイ９００の平面模式図である。（ｂ）は、従来技術に係るディスプレイ９００の表示領域から非表示領域にかけての領域Ｒ３における斜視図である。
【発明を実施するための形態】
【００１４】
＜発明の態様＞
本発明の一態様に係るディスプレイは、基板の上方に、第１方向に延伸する複数の第１電極と、前記複数の第１電極の上方において、前記第１方向と交差し、第２方向に延伸する複数の第２電極とが設けられ、前記交差部分のそれぞれに発光層が存在し、全体を平面視する場合において、最外側の複数の前記発光層を外縁とする表示領域と、前記表示領域と前記第２電極の延伸方向の一方端側において隣り合う非表示領域とが存在し、前記複数の第１電極に給電する複数の第１給電電極と、前記複数の第２電極に給電する複数の第２給電電極とを含む給電電極層が、前記基板と前記複数の第１電極との間に設けられ、前記複数の第１給電電極及び前記複数の第２給電電極のいずれも第２方向に延伸し、前記複数の第１給電電極の各々は、前記複数の第１電極の各々と１対１の関係で接続され、基端が前記非表示領域の一部領域まで引き出され、前記複数の第２給電電極の各々は、前記複数の第２電極の各々と１対１の関係で接続されているディスプレイであって、前記複数の第２給電電極の各々と前記複数の第２電極の各々との接続箇所は、複数あり、且つ、前記複数の第１電極の少なくとも１つを挟んだ位置関係にあって、前記給電電極層は、複数の給電元電極をさらに含み、前記複数の給電元電極の各々は、基端が前記非表示領域であって、前記複数の第１給電電極が引き出されていない残部領域にあり、先端が表示領域において、前記複数の第２給電電極の各々と１対１の関係で接続され、基端と先端との間は、前記第２方向に延伸する電極部分と前記第１方向に延伸する電極部分とを有する蛇行状をなしており、前記複数の給電元電極は、基端から先端側に近づく程、隣接する給電元電極同士の間隔が広がる形態を取っている。
【００１５】
また、前記複数の第２給電電極の少なくとも１つは、前記表示領域において１または複数の箇所で部分的に分断されており、前記分断されている箇所をブリッジ状に導電性材料で電気的に接続するブリッジ部が設けられ、前記給電元電極の前記先端以外の前記第１方向に延伸する電極部分は、前記ブリッジ部の下方を横切ることにより、前記第２給電電極と接触しないように、前記第２給電電極を横切ることとしてもよい。
【００１６】
また、前記ブリッジ部と前記複数の第１電極とは、同層で形成されていてもよい。
また、前記ブリッジ部と前記複数の第１電極とは、同じ組成からなる材料を含む導電性材料で構成されていてもよい。
また、前記非表示領域は、前記一部領域と、前記一部領域と前記第１方向に隣接する残部領域に分けられ、前記複数の第１給電電極のうち、前記一部領域の前記残部領域と反対側の最も端部側に引き出されている第１給電電極が、前記非表示領域から最も遠い第１電極と電気的に接続され、当該第１給電電極から内側の複数の第１給電電極の各々に移る程、前記非表示領域により近い複数の第１電極の各々と電気的に接続されていてもよい。
【００１７】
また、前記複数の第２電極は、透光性電極であってもよい。
また、平面視において、前記複数の第２給電電極の各々は、前記複数の第２電極の各々の少なくとも一部と重畳するように形成されていてもよい。
また、前記ブリッジ部は、前記ブリッジ部の上方の第２電極と電気的に接続されていてもよい。
【００１８】
また、前記基板は可撓性基板であってもよい。
また、さらに、前記複数の第２電極の上方に設けられた第２基板を備えていてもよい。
また、前記発光層は有機ＥＬ層であってもよい。
また、前記複数の第１給電電極と、前記複数の第２給電電極と、前記複数の給電元電極は同じ組成からなる材料を含む導電性材料で構成されていてもよい。
【００１９】
また、前記非表示領域の前記一部領域と前記残部領域とは、それぞれ異なるドライバーが実装されていてもよい。
また、前記複数の第２給電電極のうち、前記複数の給電元電極と電気的に接続されていない１または複数の第２給電電極は、前記非表示領域まで引き出されていて、前記残部領域と同じドライバーが実装されていてもよい。
【００２０】
また、上記のいずれかに記載のディスプレイは、パッシブマトリクス駆動型であってもよい。
また、上記のいずれかに記載のディスプレイを複数枚繋ぎ合せて１枚のディスプレイとしたタイリングディスプレイとしてもよい。
また、前記基板は矩形状であり、前記非表示領域が配置されていない辺同士を複数枚繋ぎ合せて１枚のディスプレイとしたタイリングディスプレイとしてもよい。
【００２１】
本発明の一態様に係るＴＦＴ基板は、基板と、前記基板の上方において、第１方向に延伸する複数のゲート電極と、前記第１方向と交差する第２方向に延伸する複数のソース電極と、前記複数のゲート電極の各々と、前記ソース電極の各々とに接続されたＴＦＴ素子と、を備え、前記複数のゲート電極の各々と、前記複数のソース電極の各々との一方は、１または複数の箇所で部分的に分断されており、前記分断されている箇所をブリッジ状に導電性材料で電気的に接続するブリッジ部が設けられ、前記複数のゲート電極の各々と、前記複数のソース電極の各々との他方が、少なくとも１箇所で前記ブリッジ部の下方を横切ることを特徴とするアクティブマトリクス駆動型ディスプレイ用のＴＦＴ基板であってもよい。
【００２２】
本発明を実施するための形態を、図面を参照して詳細に説明する。
＜実施の形態１＞
（１）全体構成（タイリングディスプレイ）
まず、実施の形態１に係るタイリングディスプレイ１０００について図１を用いて説明する。タイリングディスプレイ１０００は、同一の３つの有機ＥＬディスプレイ１００Ａ〜１００Ｃと、これらをＸ軸方向に沿った対称軸に対して線対称となるように作製した３つの有機ＥＬディスプレイ１０１Ａ〜１０１Ｃの合計６枚を並べた構成である。タイリングディスプレイ１０００は、最外側の複数の発光層（有機ＥＬ層、詳細は（２）で説明する）を外縁とする表示領域Ｄと、表示領域Ｄと隣り合い信号入力用のドライバーが実装される非表示領域ＮＤとからなる。このように非表示領域ＮＤをＹ軸方向の端部の１辺側に設ける一方向配線構造を採用することで、非表示領域ＮＤをＹ軸方向の両端にのみ設置することが可能となる。その結果、表示領域Ｄでは６枚のディスプレイが１枚もののディスプレイとして視認され、非表示領域を感じさせない大型のデジタルサイネージ用ディスプレイが実現できる。
（２）全体構成（各ディスプレイ）
図２は、タイリングディスプレイ１０００のうちの１枚を構成するディスプレイ１００Ａを示している。具体的にはパッシブマトリクス駆動型の有機ＥＬディスプレイ１００Ａである。図２において二点鎖線で囲まれた拡大断面図に示すように、発光層である有機ＥＬ層１２が複数の第１電極２の各々と複数の第２電極４の各々との間に挟まれている。この有機ＥＬ層１２が２つの電極で挟まれた部分が発光セル５を構成する。表示領域Ｄでは全体として平面視においてこの発光セル５がマトリクス状に配置されている。有機ＥＬ層１２は、発光セル５毎にＲ（赤）、Ｇ（緑）、Ｂ（青）の発光色を有する層となっている。Ｒ、Ｇ、Ｂの３つの発光セル５で１画素を構成している。
【００２３】
尚、図２に示す各部は、単に模式的に示したもので、実際の各部の大きさや、各電極層の構成を反映したものではない。
（３）詳細構成（領域Ｒ１）
図２における一点鎖線で囲まれた領域Ｒ１を矢印Ｅ１方向の斜め上方から見たときの斜視構造を図３に示す。ここでは簡単のため、基板１と各電極のみについて示し、絶縁層等の各電極以外の層は省略している。
【００２４】
基板１の上方には各々がＸ軸方向に延伸する複数の第１電極２と、その上方に各々がＹ軸方向に延伸する複数の第２電極４とが形成されている。複数の第１電極２と、複数の第２電極４とは、それぞれ同層に設けられている。そして、これらの電極の各々同士が交差する部分には発光層である有機ＥＬ層１２が設けられている。
基板１と複数の第１電極２との間には、複数の第２電極４と並行するように、Ｙ軸方向に延伸する複数の第１給電電極３が設けられている。また、基板１と複数の第１電極２との間には、同じく複数の第２電極４と並行するように、Ｙ軸方向に延伸する複数の第２給電電極６が設けられている。ここで、各電極同士が並行するとは、各電極同士の延伸方向のなす角度が０°に限定されるものではなく、０°を中心とした±３０°の範囲内にあることを意味する。より好ましくは、０°を中心とした±１５°の範囲内にあることを意味する。また、各電極同士が交差するとは、各電極同士の延伸方向のなす角度が９０°に限定されるものではなく、９０°を中心とした±３０°の範囲内にあることを意味する。より好ましくは、９０°を中心とした±１５°の範囲内にあることを意味する。
【００２５】
また、「第１方向に延伸する」という場合も、「第１方向とのなす角度が０°の方向に延伸する」ことに限定されるものではない。第１方向とのなす角度が、０°を中心とした±３０°の範囲内に延伸することを意味する。より好ましくは、０°を中心とした±１５°の範囲内に延伸することを意味する。「第２方向」、「Ｘ軸方向」、「Ｙ軸方向」等についても同様である。
【００２６】
複数の第１電極２の各々と複数の第１給電電極３の各々とはコンタクトホールＣＨ１を通じて１対１の関係で電気的に接続されている。コンタクトホールは１つに限定されるものではなく、複数のコンタクトホールで電気的に接続されていてもよい。本明細書でいうところの「コンタクトホール」の用語は後程、詳細に説明する。
複数の第２給電電極６の各々は、Ｙ軸方向に沿って延伸し、且つ、平面視において複数の第２電極４の各々と重畳するように形成されている。複数の第２給電電極６の各々と複数の第２電極４の各々とはコンタクトホールＣＨ２を通じて１対１の関係で電気的に接続されている。例えば、図３の最も手前側の第２給電電極６と第２電極４とは、１画素おきに１つずつ配置されたコンタクトホールＣＨ２を通じて電気的に接続されている。尚、実施の形態１では複数の第２給電電極６の各々は、複数の第２電極４の各々と並行、かつ、平面視で複数の第２電極４の各々と重畳するように設けたが、必ずしも全体が重畳していなくともよい。一部が重畳していてもよいし、また、コンタクトホールＣＨ２で接続可能な範囲内であればＸ軸方向おいて互いにずれていても構わない。
【００２７】
次に、複数の給電元電極７について説明する。実施の形態１では、複数の第１給電電極３と、複数の第２給電電極６と、複数の給電元電極７とは、すべて同層にある給電電極層として形成されている。これらの電極は、同じプロセスで同時に設けられている。そして、同じ組成からなる材料を含む導電性材料で構成されている。複数の給電元電極７について説明するにあたり、図３に図示されている給電元電極７の１つである７ａに着目して説明する。給電元電極７ａは、図３の右上から左下にかけて（図２のエッジ１側からエッジ２側にかけて）、Ｙ軸方向に延伸する電極部分７１と、Ｘ軸方向に延伸する電極部分７２とが交互に連結された蛇行状の構成である。そして、給電元電極７ａにおいて非表示領域側を基端７１ｓ（図２参照）としたときに先端にある電極部分７２の先端７２ｅが、第２給電電極の１つである６ａと接続箇所Ｃ３で電気的に接続されている。
【００２８】
給電元電極７ａは、第２給電電極６ａ以外の複数の第２給電電極６とは絶縁している必要がある。そこで、図３のＣＲ（以下、交差部ＣＲと称す）で囲った領域のように、接続箇所Ｃ３以外で、給電元電極７ａの電極部分７２が、第２給電電極６ｂを横切る箇所では、第２給電電極６ｂは、距離Ｇ分だけ分断されている。そして、分断されている箇所をブリッジ状に導電性材料で電気的に接続するブリッジ部ＢＲが設けられている。給電元電極７ａの電極部分７２は、ブリッジ部ＢＲの下方を横切っている。ここで、ブリッジ部ＢＲは、複数の第１電極２と同層で形成されている。本明細書中において同層で形成されているとは、同じプロセスで同時に形成されていることを意味する。また、ブリッジ部ＢＲと複数の第１電極２とは、同じ組成からなる材料を含む導電性材料で構成されていることが好ましい。このようにしてブリッジ部ＢＲを形成すれば、ブリッジ部は複数の第１電極２と同じプロセスで形成できる。よって、ブリッジ部ＢＲのみを形成するプロセスは不要である。すると、追加するプロセスは、給電電極層を形成するためのプロセスと、その上に絶縁層を形成するためのプロセスだけで済む。但し、ブリッジ部ＢＲと複数の第１電極２とは同層で形成されておらず、異なるプロセスで形成されていても構わない。また、異なる組成からなる材料を含む導電性材料で構成されていても構わない。また、交差部ＣＲでは、ブリッジ部ＢＲと、その上方の第２電極４ｂとは、コンタクトホールＣＨ４を通じて電気的に接続されている。給電元電極７ｂも給電元電極７ａと同様に、給電元電極７ｂの先端にある電極部分７２の先端７２ｅが、第２給電電極６ｂと接続箇所Ｃ３で電気的に接続されている。
【００２９】
第２給電電極６の少なくとも１つは、１または複数の箇所で部分的に分断されている。そして、この分断されている箇所は、ブリッジ部ＢＲで電気的に接続されている。複数の給電元電極７の少なくとも１つは、電極部分７１がＹ軸方向に延伸しつつ、Ｘ軸方向に延伸する電極部分７２が少なくとも１箇所でブリッジ部ＢＲの下方を横切っている。このようにして、複数の給電元電極７は、基端７１ｓから先端７１ｅ側に近づく（エッジ１からエッジ２にかけて）程、隣接する給電元電極同士の間隔が広がる形態を取っている（図２参照）。
【００３０】
逆に、先端７１ｅから基端７１ｓ側にかけて（エッジ２からエッジ１にかけて）は、表示領域で隣接する給電元電極７同士の間隔が段階的に近づくように設けられている。そのため、非表示領域ＮＤにおいては、複数の第１給電電極３が引き出されていない残部領域７Ａにまとめられている（図２参照）。残部領域７Ａは、例えば、走査信号用のドライバーが実装される実装端子部となる。図２の構成では、エッジ１側に最も近い給電元電極７では、給電元電極７の電極部分７２が第２給電電極６を横切る箇所がないため、当該第２給電電極６は、部分的に分断されていない。しかし、当該第２給電電極６が、部分的に分断されている箇所を有していても構わない。その場合は、先に説明したように、各分断箇所にはブリッジ部ＢＲが設けられ、その下方を当該給電元電極７の電極部分７２が横切ることになる。
【００３１】
また、複数の第１給電電極３の各々は、コンタクトホールＣＨ１を先端３ｅとして、Ｙ軸方向にそのまま延伸され、基端３ｓが非表示領域まで達している。そして、非表示領域ＮＤでは、当該基端３ｓが一部領域３Ａに存在している。一部領域３Ａは、例えば、データ信号用のドライバーが実装される実装端子部となる。ここで、複数の第１給電電極３のうち、非表示領域ＮＤにおいて一部領域３Ａの残部領域７Ａと反対側の最も端部側に引き出されている第１給電電極３ａは、非表示領域ＮＤから最も遠い第１電極２ａと電気的に接続されている。そして、第１給電電極３ａから内側の複数の第１給電電極の各々に移る程、非表示領域ＮＤにより近い複数の第１電極の各々と電気的に接続されている。
【００３２】
ところで、実装端子部を２つの領域に分けるためだけであれば、図６の参考例に示したような構成も考えられる。この参考例のディスプレイ２００Ａでは、非表示領域ＮＤ内で複数の第２給電電極２０６と複数の給電元電極２０３とを立体交差させている。しかしながら、この参考例のディスプレイ２００Ａでは、非表示領域ＮＤ内で立体交差させる分だけ、非表示領域ＮＤの面積が増してしまう。その点、実施の形態１のディスプレイ１００Ａでは、表示領域Ｄ内で両者を交差させているので、非表示領域ＮＤの面積をより小さくすることができる。
【００３３】
さらに、実施の形態１では、図２に示すように、複数の第２給電電極６の各々と複数の第２電極４の各々とは３つの第１電極を挟んで（１画素おきに）、コンタクトホールＣＨ２またはコンタクトホールＣＨ４を通じて１対１の関係で電気的に接続されている。実施の形態１に係るパッシブマトリクス駆動型有機ＥＬディスプレイ１００Ａは上方向（＋Ｚ軸方向）に光を取り出す、所謂トップエミッション型であるため、複数の第２電極４は透光性電極である。透光性電極は、例えば、ＩＴＯ（Ｉｎｄｉｕｍ Ｔｉｎ Ｏｘｉｄｅ）やＩＺＯ（Ｉｎｄｉｕｍ Ｚｉｎｃ Ｏｘｉｄｅ）等から形成されており配線抵抗が高い。そのため、配線を長距離で配置すると電圧降下が生じて輝度ばらつきが生じてしまう。
【００３４】
しかし、実施の形態１では、１画素程度の間隔で、コンタクトホールＣＨ２またはＣＨ４を通じて複数の第２給電電極６の各々と複数の第２電極４の各々とが１対１の関係で電気的に接続されている。これにより高抵抗である透光性電極を配置する距離を１画素程度の間隔まで狭めることができ、結果的に配線抵抗を下げることが可能となる。
また、実施の形態１では、複数の第２給電電極６の各々と複数の第２電極４の各々とは３つの第１電極を挟んで（１画素おきに）、複数のコンタクトホールＣＨ２またはＣＨ４を通じて接続されている構成としたが、これに限定されるものではない。少なくとも１つの第１電極を挟んだ構成であればよい。また、接続箇所はコンタクトホールに限定されるものではない。電気的に接続されるものであれば、その他の構成でもよい。例えば、導電性部材等を埋め込んだ構成でも構わない。
【００３５】
さらに、複数の各給電電極は、同層として形成され、且つ、同じ組成からなる材料を含む導電性材料で形成されている。つまり、これらの電極は、同じプロセスで同時に同じ組成からなる材料を含む導電性材料で形成されている。よって、追加する絶縁層の工程数を少なくすることが可能となる。
（４）詳細構成（領域Ｒ２）
図２における一点鎖線で囲まれた領域Ｒ２を矢印Ｅ２方向の斜め上方から見たときの斜視構造を図４に示す。ここでは簡単のため、基板１と各電極のみについて示し、絶縁層等の各電極以外の層は省略している。
【００３６】
複数の第２給電電極６のうち、第２給電電極６ｚは、複数の給電元電極７と電気的に接続されていない（図２参照）。そのため、第２給電電極６ｚは、複数の給電元電極７と同じ信号（例えば、走査信号）を入力する必要がある。そこで、第２給電電極６ｚは、複数の給電元電極７と同様に、非表示領域ＮＤまで引き出され、複数の給電元電極７と同じ残部領域７Ａに存在している。そして、複数の給電元電極７と第２給電電極６ｚには、同一の信号（ここでは、走査信号）入力用のドライバーを実装することができる。ここでは、複数の給電元電極７と電気的に接続されていない第２給電電極は１つのみとしたが、複数であっても構わない。複数ある場合は、当該複数の第２給電電極を非表示領域ＮＤまで引き出せばよい。そして、複数の給電元電極７と当該複数の第２給電電極には、同一の信号入力用のドライバーを実装すればよい。
（５）各層構成（Ｙ−Ｙ断面図）
図５（ａ）を参照して図２に示したＹ−Ｙ断面の構造を説明する。
【００３７】
これまでの説明では、電極構造の説明に主眼を置くために、基板は１枚の基板１のみとしていた。しかし、実際には、実施の形態１のディスプレイ１００Ａでは、対向基板も有していてもよい。そこで、下側の基板を第１基板１とし、対向する上側の基板を第２基板１６として説明を行う。また、各電極及び各給電電極は、実際には複数存在するが、以下は断面図での説明のため、基本的に単数として記述する。
【００３８】
第１基板１は、可撓性基材であるポリイミドを有する。そして第１基板１上にバリア層８がある。第１基板１が可撓性基材の場合は水分透過率が高く、有機ＥＬ層が劣化する問題が生ずる。そのため、バリア層８は水分透過を防止するために設けられる。バリア層８の材料は窒化シリコンである。しかし、窒化シリコンに限定されることはなく、水分透過性の低い材料であれば、窒化酸化シリコン、酸化シリコン等のシリコン系材料でもよい。また、金属薄膜や有機材料であってもよい。また、第１基板１は可撓性基材である必要はなく、ガラス等の剛性のある基材を用いてもよい。ガラスを用いる場合は水分透過性が低いためバリア層８はなくてもよい。
【００３９】
バリア層８の上には平坦化層９がある。平坦化層９はアクリル系の有機材料である。しかし、これに限定されるものではなく、平坦性を高められる材料であれば他の有機材料や無機材料でもよい。尚、第１基板１にガラスを用いる場合には、ガラスは平坦性が高いため平坦化層９はなくてもよい。
平坦化層９の上にはＹ軸方向に沿って延伸する第２給電電極６と、Ｘ軸方向に沿った給電元電極７の電極部分７２がある。第２給電電極６と給電元電極７は、同層で、且つ、同じ組成からなる材料を含む導電性材料で形成されている。第２給電電極６と給電元電極７の材料を例示すると、Ｍｏであるが、これに限定されるものではない。Ａｌ合金、Ａｇ合金またはＣｕやＡｕ等の低抵抗な材料であってもよい。さらには金属材料である必要もなく、ナノチューブや銀ナノワイヤー等の高い導電性を有するものであってもよい。
【００４０】
第１給電電極６と第２給電電極７上には、第１絶縁層１０がある。第１絶縁層１０は、アクリル系の有機材料である。しかし、これに限定されるものではなく、絶縁性を有するものであれば酸化シリコン等の無機材料でもよい。第１絶縁層１０には、矢印で示された部分に２つのホールＨが空けられている。このホールＨの部分では、第２給電電極６が露出している。
【００４１】
給電元電極７の電極部分７２上の第１絶縁層１０と、ホールＨの部分で露出している第２給電電極６を覆うように、導電性材料からなるブリッジ状のブリッジ部ＢＲが設けられている。これにより、距離Ｇ分だけ分断されている第２給電電極６同士をブリッジ部ＢＲで電気的に接続することができる。このブリッジ部ＢＲは、Ｘ軸方向に沿って延伸する第１電極２と同層で形成することが好ましい。また、同じ組成からなる材料を含む導電性材料で形成されることが好ましい。なぜなら、ブリッジ部ＢＲと第１電極２とを同じ組成からなる材料を含む導電性材料で同時に形成できるからである。
【００４２】
第１電極２は、アノード（陽極）である。第１電極２は、第１絶縁層１０の上に３本単位でＸ軸方向に延伸するように設けられる。各第１電極２同士の間は離間している。第１電極２及びブリッジ部ＢＲの材料は、例えば、Ｍｏを有する。Ｍｏを用いる理由は、酸化に強く他の配線と接続しやすいためである。しかし、第１電極２の材料はこれに限定されるものではなく、導電性を有するものであれば他の金属材料、金属酸化物材料、有機材料、また、その複合材料であってもよい。また、実施の形態１では、第１電極２はアノードとなっているが、カソードとしてもよい。
【００４３】
第１電極２同士の離間部及びその上と、第１絶縁層１０の露出している領域上と、ブリッジ部ＢＲの中央部を除いた領域上に第２絶縁層１１が設けられている。第２絶縁層１１はポリイミドを主成分とする材料である。しかし、これに限定されるものではなく、他の有機材料や酸化シリコン等の無機材料であってもよい。尚、図５（ａ）において、一点鎖線で囲まれた領域の拡大図に示したように、第２絶縁層１１の端面はテーパー状をなしていることが好ましい。すなわち、第２絶縁層１１の端面１１ａと第１電極２の主面２ｄとのなす角度θは９０°より大きいことが好ましい。仮にθが９０°以下であるとすると、第２電極４を薄く形成した場合に、第２電極４が第２絶縁層１１の端面１１ａ付近で切れてしまい、導電性を確保できないからである。
【００４４】
第１電極２上であって、第２絶縁層１１で挟まれた領域には、有機ＥＬ層１２がある。有機ＥＬ層１２は、有機材料と無機材料とで形成され、内部で、ホール注入層、ホール輸送層、発光層、電子輸送層、電子注入層等が機能分離した構造となっている。しかしこれに限定されるものではなく、発光機能を有するものであれば機能分離した構造でなくてもよい。
【００４５】
ブリッジ部ＢＲの中央部には第２絶縁層１１が形成されておらず、ブリッジ部ＢＲが露出している。そして、第１電極２と交差するようにＹ軸方向に沿って延伸する第２電極４が設けられている。第２電極４は、有機ＥＬ層１２上に設けられ、各発光セル５のカソード（陰極）として機能する。また、ブリッジ部ＢＲの中央部にある第２絶縁層１１の穴には第２電極４が入り込んで、ブリッジ部ＢＲと電気的に接続される。これが、コンタクトホールＣＨ４である。コンタクトホールＣＨ４は、ブリッジ部ＢＲと給電元電極７の第２部分７２とが交差する交差部ＣＲに設けられる。本明細書で記載されたコンタクトホールとは単なるホール（穴）ではなく、上層の電極が入り込んで下層の電極と電気的に接続（コンタクト）されているものを意味する。第２電極４は、透光性電極であり、例えば、Ｍｇを有する。第２電極４を厚く形成してしまうと透過率が低くなってしまうため、膜厚は３０ｎｍ以下が好ましい。第２電極４は、Ｍｇを有するものに限定されるのではなく、他の金属でもよい。また、透光性電極であれば金属である必要もなく、ＩＴＯ等の金属酸化物でもよい。その他、ＰＥＤＯＴ等の有機材料やナノチューブ等の無機材料であってもよい。実施の形態１では、第２電極４はカソードとしたが、アノードとしてもよい。
【００４６】
第２電極４の上には水分等の侵入を防ぐための封止層１３を設ける。封止層１３の材料は、例えば、窒化シリコンである。しかしこれに限定されるものではなく、水分透過性の低い材料であれば、窒化酸化シリコンや酸化シリコン等のシリコン系材料または金属薄膜や有機材料であってもよい。
封止層１３上には樹脂層１４がある。樹脂層１４上にはバリア層１５を介して第２基板１６がある。樹脂層１４は、封止層１３までが形成された第１基板１と、バリア層１５が設けられた第２基板１６とを、封止層１３とバリア層１５とが対向した状態で接着する役割を果たす。樹脂層１４の材料としては、例えば、熱硬化性のエポキシ樹脂である。しかしこれに限定されるものではなく、ＵＶ硬化性のエポキシ樹脂や他の有機材料であってもよい。バリア層１５は、封止層１２同様、例えば、窒化シリコンである。しかしこれに限定されるものではなく、水分透過性の低い材料であれば、窒化酸化シリコンや酸化シリコン等のシリコン系材料または金属薄膜や有機材料であってもよい。第２基板１６の材料は、例えば、ポリイミドを有する。しかし、これに限定されるものではなく、ＰＥＮやＰＥＴ等の他、有機材料でもよいし、ガラスであってもよい。 尚、上記では第２基板１６の第１基板１側にバリア層１５を形成したが、第１基板１と反対側に形成してもよい。また、バリア層１５を多層構造としてもよい。また上記では第１基板１と第２基板１６とを樹脂層１４で接着したが、他の方法による接着であってもよい。
（６）各層構成（Ｘ−Ｘ断面図）
図５（ｂ）を参照して図２に示したＸ−Ｘ断面の構造を説明する。ここではＹ−Ｙ断面の説明のところで説明済のものは省略し、異なる箇所のみについて述べる。
【００４７】
平坦化層９の上には、Ｙ軸方向に沿って延伸する第２給電電極６と第１給電電極３とが同層で形成されている。第２給電電極６と第１給電電極３の上には、第１絶縁層１０が設けられる。第１絶縁層１０のコンタクトホールＣＨ１の部分には、穴を空けて第１給電電極３の１つを露出させておく。そして、その上からＸ軸方向に沿って延伸する第１電極２が設けられている。これにより、コンタクトホールＣＨ１を通じて、第１電極２と、第１給電電極３の１つが電気的に接続される。尚、先に述べたコンタクトホールＣＨ２についても、同様に、第１絶縁層１０に穴が空けられていて、第２電極４がその穴に入り込んで、第２電極４と第２給電電極６とが電気的に接続される。
＜実施の形態２＞
図７は、実施の形態２に係るパッシブマトリクス駆動型の有機ＥＬディスプレイ３００Ａを示す。実施の形態１に係るパッシブマトリクス駆動型の有機ＥＬディスプレイ１００Ａとの違いは、発光セル３０５がＹ軸方向に配列している１列３０５Ｌを２列分ずつ、隣接して配置した点である。そして、２列の３０５Ｌ同士の間隔をＰになるようにしている。このような配置にすると、ディスプレイ３００Ａの最上段の１列の３０５Ｌとディスプレイ３００Ａの上辺３００Ａ１との間には、給電電極を配置する必要がなくなる。そのため、これらの間の間隔Ｘ１を任意に設定できる。また、ディスプレイ３００Ａの最下段の１列の３０５Ｌとディスプレイ３００Ａの下辺３００Ａ２との間にも、実施の形態１のディスプレイ１００Ａと比べて設計上の余裕ができる。そのため、これらの間の間隔Ｘ２もある程度、任意に設定することができる。例えば、Ｘ１＋Ｘ２＝Ｐとなるように設定することができる。
【００４８】
次に、実施の形態２に係るタイリングディスプレイ３０００について図８を用いて説明する。タイリングディスプレイ３０００は、同一の３つの有機ＥＬディスプレイ３００Ａ〜３００Ｃと、これらをＸ軸方向に沿った対称軸に対して線対称となるように作製した３つの有機ＥＬディスプレイ３０１Ａ〜３０１Ｃの合計６枚を並べた構成である。先に述べたように、各ディスプレイ内では、Ｘ１＋Ｘ２＝Ｐとなるように設定している。その結果、Ｘ軸方向の２列の発光セル同士の間隔が、各ディスプレイ内だけでなく、異なるディスプレイ間でも同じ間隔Ｐに設定することができる。従って、実施の形態２では６枚のディスプレイがより滑らかに繋がれた１枚もののディスプレイとして視認される。
＜変形例１＞
図９（ａ）は、変形例１に係るパッシブマトリクス駆動型の有機ＥＬディスプレイ４００Ａ及び４０１Ａと、それらを並べたタイリングディスプレイ４０００を示している。
【００４９】
ここでは有機ＥＬディスプレイ４００Ａ及び４０１Ａの第１基板及び第２基板として可撓性基材であるポリイミドを用いている。そのため、１枚のディスプレイを湾曲させたり、折り曲げたりすることができる。
変形例１のタイリングディスプレイ４０００では、有機ＥＬディスプレイ４００Ａ及び４０１Ａの非表示領域ＮＤを裏側に折り曲げて２枚を繋げている。その結果、表示領域Ｄが１枚もののディスプレイとして視認されるだけでなく、非表示領域ＮＤもなくしてしまうことが可能となり、額縁を究極まで感じさせないタイリングディスプレイ４０００が実現される。
＜変形例２＞
変形例２では、図９（ｂ）のように非表示領域ＮＤを互いに反対側に配置した点を除き、変形例１と同じである。変形例２では、タイリングディスプレイ５０００の裏側で非表示領域ＮＤ同士の間に回路基板等をまとめて設置するスペースが確保できる点でメリットがある。
＜変形例３＞
変形例３では、図９（ｃ）のように非表示領域ＮＤを多少湾曲させて、隣接する有機ＥＬディスプレイの裏側に非表示領域ＮＤを配置している。変形例１及び変形例２のように折り曲げる程の可撓性がない基板を用いる場合には、変形例３はメリットがある。
（変形例１及び変形例３の補足）
上記の変形例１及び３に示した各有機ＥＬディスプレイは可撓性基材を用いているため、任意の位置で折り曲げや屈曲が可能である。そのため、Ｙ軸方向において隣り合う有機ＥＬディスプレイの境界線を跨いで対向する１画素同士の距離を、各有機ＥＬディスプレイ内におけるＹ軸方向の１画素同士の距離と等しく調節して設置することも可能である。その結果、変形例１及び３に示したタイリングディスプレイ４０００及び６０００では複数枚の有機ＥＬディスプレイがＹ軸方向でもより滑らかに繋がれた１枚もののディスプレイとして視認される。
＜変形例４＞
実施の形態１で説明したブリッジ部の構造は、パッシブマトリクス駆動型の有機ＥＬ基板だけでなく、アクティブマトリクス駆動型の有機ＥＬ基板にも適用することができる。図１０は、変形例４に係るアクティブマトリクス駆動型の有機ＥＬ基板を説明するための図である。図１０（ａ）は、有機ＥＬ基板７００のうちの１絵素（１画素を構成するＲ、Ｇ、Ｂの発光セルのいずれかを有する部分）における平面図を示している。実際には、図１０（ａ）の構成がマトリクス状に配置されて有機ＥＬ基板７００を構成している。簡単のため、発光層からの上の構成は省略している。図１０（ｂ）は、当該１絵素の回路図であり、図１０（ｃ）は、図１０（ａ）のＸＸ−ＸＸ断面図である。基板７０１の上方には、Ｙ軸方向に延伸するゲート電極７０２と、ゲート電極７０２と交差するＸ軸方向に延伸するソース電極７０３が設けられている。ゲート電極７０２とソース電極７０３とが交差する領域付近にはスイッチング用の薄膜トランジスタ素子（ＴＦＴと称す）７０５がある。ＴＦＴ７０５のドレイン電極７０７は、駆動用のＴＦＴ７０６のゲート電極と電気的に接続されている。駆動用のＴＦＴ７０６のソース電極は、外部から大電流が供給される電源信号線７０４と電気的に接続されている。駆動用のＴＦＴ７０６のドレイン電極７０８は、アノード７０９と電気的に接続されている。
【００５０】
図１０（ｃ）に示すように、基板７０１の上方には、ゲート電極７０２とソース電極７０３とが設けられている。ゲート電極７０２とソース電極７０３とは、同じ組成からなる材料を含む導電性材料で構成されていてもよい。尚、図１０（ａ）のＣＲ１で囲った領域では、図１０（ｃ）に示すように、Ｘ軸方向に延伸しているソース電極７０３が、距離Ｇ分だけ分断されている。ゲート電極７０２とソース電極７０３の上には絶縁層７１０が設けられている。絶縁層７１０には、矢印で示された部分に２つのホールＨが空けられている。このホールＨの部分では、ソース電極７０３が露出している。そして、ゲート電極７０２上の絶縁層７１０と、ホールＨの部分で露出しているソース電極７０３を覆うように、導電性材料からなるブリッジ状のブリッジ部ＢＲが設けられている。これにより、距離Ｇ分だけ分断されているソース電極７０３同士をブリッジ部ＢＲで電気的に接続することができる。ゲート電極７０２は、ブリッジ部ＢＲの下方をＹ軸方向に横切っている。このブリッジ部ＢＲは、アノード７０９と同層で形成されていることが好ましい。この場合、ブリッジ部ＢＲと、アノード７０９とを同じプロセスで、同時に形成できるというメリットがある。
【００５１】
上記で説明したブリッジ部ＢＲは、ゲート電極７０２が電源信号線７０４を横切るＣＲ２（図１０（ｃ）参照）で囲った領域に設けてもよい。また、変形例４では、ソース電極７０３や電源信号線７０４をブリッジ状にブリッジ部ＢＲで接続し、ブリッジ部ＢＲの下方をゲート電極７０２が横切る構成としたが、これに限られるものではない。ブリッジ部ＢＲの下方をソース電極７０３や電源信号線７０４が横切る構成としてもよい。
【００５２】
このように、実施の形態１に係るブリッジ部の構造は、パッジブマトリクス駆動型ディスプレイ用の基板だけでなく、アクティブマトリクス駆動型ディスプレイ用のＴＦＴ基板にも適用することができる。また、有機ＥＬディスプレイだけでなく、液晶ディスプレイ等、フラットパネルディスプレイに広く適用することができる。
＜その他の事項＞
（１）本明細書中の実施の形態及びその変形例では、有機ＥＬディスプレイについて説明したが、これに限定されるものではない。無機ＥＬディスプレイやＦＥＤ（Ｆｉｅｌｄ  Ｅｍｉｓｓｉｏｎ  Ｄｉｓｐｌａｙ）、ＳＥＤ（Ｓｕｒｆａｃｅ−ｃｏｎｄｕｃｔｉｏｎ  Ｅｌｅｃｔｒｏｎ−ｅｍｉｔｔｅｒ  Ｄｉｓｐｌａｙ）、液晶ディスプレイ等、ＦＰＤ（Ｆｌａｔ  Ｐａｎｅｌ  Ｄｉｓｐｌａｙ）に広く適用可能である。
（２）本明細書中の実施の形態及びその変形例では、第２基板を有している構成としたが、これに限定されるものではない。発光層の上方に配置された封止膜やバリア層等で水分の侵入を充分抑制することができるのであれば、第２基板はなくともよい。
（３）本明細書中の実施の形態及びその変形例では、複数の第１給電電極と、複数の第２給電電極と、複数の給電元電極とをＹ軸方向に取り出して一方向配線を実現していたが、この方向に限定されるものではない。Ｘ軸方向に取り出して一方向配線としてもよいし、その他の方向であってもよい。
（４）本明細書中の実施の形態では、各給電電極は同層で形成されているとしたが、必ずしも同じ組成からなる材料を含む導電性材料で構成されていなくても構わない。いずれか１つの給電電極が異なる組成からなる材料を含む導電性材料で構成されていてもよい。すべての給電電極が異なる組成からなる材料を含む導電性材料で構成されていてもよい。
（５）本明細書中の実施の形態では、複数の第１給電電極の各々の先端が複数の第１電極の各々と１対１の関係で接続されている構成としたが、これに限定されるものではない。複数の第１給電電極の各々の一部が複数の第１電極の各々と１対１の関係で接続されていればよい。
（６）本明細書中の実施の形態では、複数の給電元電極の各々の先端が表示領域において、複数の第２給電電極の各々と１対１の関係で接続されている構成としたが、必ずしも最先端が接続されていなくても構わない。少なくとも給電元電極の先端に位置する第２方向に延伸する電極部分が複数の第２給電電極の各々と１対１の関係で接続されていてもよい。
（７）本明細書中の実施の形態では、複数の給電元電極の各々は、基端と先端との間で第２方向に延伸する電極部分と第１方向に延伸する電極部分とが交互に連結される構成としていたが、これに限定されるものではない。第２方向に延伸する電極部分と第１方向に延伸する電極部分との間に、任意の方向を向いた電極部分があっても構わない。
（８）本明細書中の実施の形態及びその変形例では、第１基板と第２基板の両方を可撓性基板としたが、少なくとも一方だけでもよい。
（９）本明細書中の実施の形態及びその変形例で「基板の上方」という用語が使用されている場合には、その意味は、「基板上（基板と接している）」場合と「基板の上の方（基板と接していない）」場合の両方の意味であるとする。
（１０）本発明に係るディスプレイは、平面構造のみならず、曲面や球面状の構造にも適用可能である。
（１１）本明細書中の実施の形態及びその変形例では、発光セル毎にＲ（赤）、Ｇ（緑）、Ｂ（青）に発光するフルカラーのディスプレイを前提としていたが、これに限定されるものではない。モノクロ（単色）のディスプレイにも適用が可能である。
（１２）本発明に係るディスプレイは、Ｚ軸のプラス方向を上方としているが、各工程を経る際に上方側に作製することに限定するものでなく、便宜上のものである。
（１３）本明細書中の実施の形態におけるディスプレイ１００Ａは、１枚のパネルとして説明したが、これに限定されるものではない。１００Ａの部分は最小単位の配線パターンであって、この配線パターンを複数タイリングして１枚もののディスプレイを作製した場合であっても、それは本発明の権利範囲内である。また、配線パターンをタイリングする際に、Ｘ軸方向、または、Ｙ軸方向に沿った対称軸に対して線対称となるように作製した配線パターン同士をタイリングして１枚もののディスプレイを作製した場合も同様に本発明の権利範囲内である。
（１４）本発明に係るディスプレイは、実施の形態及びその変形例の部分的な構成を、適宜組み合わせてなる構成であってもよい。また、実施の形態及びその変形例に記載した材料、数値等は好ましいものを例示しているだけであり、それに限定されることはない。さらに、本発明の技術的思想の範囲を逸脱しない範囲で、構成に適宜変更を加えることは可能である。本発明は、フラットパネルディスプレイ全般に広く利用可能である。
【産業上の利用可能性】
【００５３】
本発明は、例えば、デジタルサイネージ用のタイリングディスプレイとして利用することができる。
【符号の説明】
【００５４】
１．基板（第１基板）
２．第１電極
３．第１給電電極
３ｓ．基端
３ｅ．先端
３Ａ．一部領域（実装端子部）
４．第２電極
５、３０５．発光セル
６．第２給電電極
７．給電元電極
７Ａ．残部領域（実装端子部）
１２．発光層（有機ＥＬ層）
１６．第２基板
７１．電極部分
７２．電極部分
７１ｓ．基端
７２ｅ．先端
１００Ａ、１００Ｂ、１００Ｃ、１０１Ａ、１０１Ｂ、１０１Ｃ、３００Ａ、３００Ｂ、３００Ｃ、３０１Ａ、３０１Ｂ、３０１Ｃ、４００Ａ、４０１Ａ、５００Ａ、５０１Ａ、６００Ａ、６０１Ａ、６０２Ａ．ディスプレイ
７００．アクティブマトリクス駆動型ディスプレイ用のＴＦＴ基板
７０１．基板
７０２．ゲート電極
７０３．ソース電極
７０５．薄膜トランジスタ（ＴＦＴ）
１０００、３０００、４０００、５０００、６０００．タイリングディスプレイ
ＣＨ１、ＣＨ２、ＣＨ４．コンタクトホール
Ｃ３．接続箇所
Ｄ．表示領域
ＮＤ．非表示領域
ＢＲ．ブリッジ部
【図１】
2015207409.tif 000003
【図２】
2015207409.tif 000004
【図３】
2015207409.tif 000005
【図４】
2015207409.tif 000006
【図５】
2015207409.tif 000007
【図６】
2015207409.tif 000008
【図７】
2015207409.tif 000009
【図８】
2015207409.tif 000010
【図９】
2015207409.tif 000011
【図１０】
2015207409.tif 000012
【図１１】
2015207409.tif 000013
【図１２】
2015207409.tif 000014